(57)【要約】      （修正有）【課題】撮影の際、接眼光学系を介してディスプレイ表示される電子ビューファインダーに対して、ライブビュー画像を良好とすると共に、接眼光学系の小型化を可能にした撮像装置を提供する。【解決手段】撮像素子１１２と、画像処理手段１２０と、画像処理手段で補正された画像データを用いて画像を表示するディスプレイ１２４と、ディスプレイ１２４を観察するために設けられた接眼光学系３０３を有する。画像処理手段１２０は、撮像素子１１２で生成された画像データに対して、撮像素子が画像データを生成する際に撮像素子に被写体像を結像するために用いられる撮像光学系２０１の光学特性と、接眼光学系３０３の光学特性に基づいて光量落ち補正を行い、ディスプレイ１２４に光量落ち補正が行われた画像データを用いて画像を表示する。【選択図】図１
2018129648.tif 000002
【特許請求の範囲】
【請求項１】
撮像素子（１１２）と、
前記撮像素子で生成された画像データに対して補正を行う画像処理手段（１２０）と、
前記画像処理手段で補正された画像データを用いて画像を表示する第１のディスプレイ（ＥＶＦ）（１２５）と、
前記第１のディスプレイを観察するために設けられた接眼光学系（接眼レンズ）（３０３）を有し、
前記画像処理手段（１２０）は、前記撮像素子で生成された画像データに対して、前記撮像素子が前記画像データを生成する際に前記撮像素子に被写体像を結像するために用いられる撮像光学系（撮影レンズ）（２０１）の光学特性と、前記接眼光学系（接眼レンズ）の光学特性に基づいて、第１の画像補正を行い、
前記第１のディスプレイは、前記第１の画像補正が行われた画像データを用いて画像を表示することを特徴とする撮像装置。
【請求項２】
前記画像処理手段（１２０）で補正された画像データを用いて画像を表示する第２のディスプレイ（ＴＦＴ）（１２４）を有し、
前記画像処理手段（１２０）は、前記接眼光学系の光学特性に依らずに、前記撮像光学系（２０１）の光学特性に基づく第２の画像補正を行い、
前記第２のディスプレイは、前記第２の画像補正が行われた画像データを用いて画像を表示することを特徴とする請求項１に記載の撮像装置。
【請求項３】
撮影者からの撮影指示（１３７）に応じて、画像データをメモリ（４０１）に記憶する記憶制御手段（１１９）を有し、
前記画像処理手段（１２０）は、前記接眼光学系の光学特性に依らずに、前記撮像光学系（２０１）の光学特性に基づく第２の画像補正を行い、
前記記憶制御手段（１１９）は、前記第２の画像補正が行われた画像データを前記メモリ（４０１）に記憶させることを特徴とする請求項１に記載の撮像装置。
【請求項４】
前記第１、第２の画像補正には、周辺光量落ち補正、倍率色収差補正、歪曲収差補正の少なくとも１つが含まれることを特徴とする請求項１乃至３のいずれか１項に記載の撮像装置。
【請求項５】
前記接眼光学系の光学特性について、接眼レンズ（３０３）の最終光学面から光軸方向の距離に応じた複数の光学特性データの補正テーブルと、撮影者の指示により接眼レンズ（３０３）の設定アイポイント位置を変更することが可能なアイポイント選択ＳＷ（３０１）を有し、撮影者が選択したアイポイント選択ＳＷ（３０１）の結果により、前記接眼光学系の光学特性の補正テーブルを変更することを特徴とした請求項１乃至４のいずれか１項に記載の撮像装置。
【請求項６】
前記接眼レンズ（３０３）の最終光学面から撮影者が覗き込んでいる瞳の光軸方向の距離を測定する瞳位置検出手段（３０４）を有し、瞳の光軸方向の位置の検出結果に応じて、前記接眼光学系の光学特性の補正テーブルを変更することを特徴とした請求項１乃至５のいずれか１項に記載の撮像装置。
【請求項７】
画像データを表示するディスプレイ（ＥＶＦ）（１２５）と、
前記ディスプレイを観察するために設けられた接眼光学系（接眼レンズ）（３０３）を有し、
前記接眼光学系（接眼レンズ）（３０３）の光学特性に基づいて、前記ディスプレイ（１２４）の発光輝度の補正を行うことを特徴とする撮像装置。
【発明の詳細な説明】
【技術分野】
【０００１】
本発明は、撮像素子で生成された画像データに対して補正を行う画像処理に関するものであり、特に、画像データを観察するために接眼光学系（接眼レンズ）を設けた電子ビューファインダー（ＥＶＦ）を有する撮像装置に関するものである。
【背景技術】
【０００２】
レンズを介して光学像を得ることで被写体を撮影する撮像装置では、撮影された被写体の画像において、その画像の中心部から画像周辺部に行くにしたがって、光量が低下する所謂、周辺光量落ち現象が発生する。また、周辺光量落ち現象は、撮像装置が備えるレンズの特性と、固体撮像素子の特性の関係で決まることが知られている。
【０００３】
具体的には、有効像円（光が均一に当たる領域）に対する固体撮像素子の位置との関係で、周辺光量落ち量が一意的に決まる。但し、この場合は、固体撮像素子の有効画素中心と、レンズの光軸中心が一致していることが前提になる。
【０００４】
この現象を回避するために、撮像装置が備えるレンズの有効像円が、固体撮像素子の撮像領域に対して、充分大きくなるようなレンズを使用することが挙げられる。しかし、そのような条件を満たすレンズを使用すると、レンズ自体のサイズが大きくなり、撮像装置の小型化が困難となってしまう。このように、大きさが十分でないレンズを備えた撮像装置で、特にコントラストの小さな被写体を撮影する時は、周辺光量落ちが顕著になり、画質の低下の一因になっていた。
【０００５】
そこで、絞り値に応じて像の画面中心から周辺にかけての光量低下特性を補償して平坦化することで周辺光量落ちの補正を行う技術が提案されている（特許文献１参照）。また、光学特性に起因する収差や歪についても撮影レンズユニットからの情報に基づいて補正する技術が提案されている（特許文献２参照）。
【先行技術文献】
【特許文献】
【０００６】
【特許文献１】特開２００９−４９６７公報
【特許文献２】特開平５−１５８１３４公報
【発明の概要】
【発明が解決しようとする課題】
【０００７】
しかしながら、上述の特許文献に開示された従来技術は、撮影レンズのみに言及されている。
【０００８】
上記のような光学特性に起因する周辺光量落ちや収差や歪の現象は、画像データを表示するディスプレイの表示可能領域に対し、接眼光学系を介して観察する電子ビューファインダーにおいても同じ事が言える。ディスプレイの表示可能領域に対し、十分大きくなるようにレンズ設計をすると、レンズ自体のサイズが大きくなり、電子ビューファインダーの光学系（接眼光学系）の小型化が困難となってしまう。また、レンズを小型化すると、光学部品の端面に反射した迷光を遮光するためのマスク部材の内径が小さくなり、さらに周辺光量落ちが顕著になってしまう。
【０００９】
そこで、本発明の目的は、撮影の際、接眼光学系を介してディスプレイ表示される電子ビューファインダー（ＥＶＦ）に対して、周辺光量落ち等の、光学系による画像への影響を低減することで、良好なライブビュー画像を提供でき、且つ接眼光学系の小型化を可能にした撮像装置を提供することである。
【課題を解決するための手段】
【００１０】
上記目的を達成するために、本発明は、撮像素子と、
前記撮像素子で生成された画像データに対して補正を行う画像処理手段と、
前記画像処理手段で補正された画像データを用いて画像を表示する第１のディスプレイ（ＥＶＦ）と、
前記第１のディスプレイを観察するために設けられた接眼光学系（接眼レンズ）を有し、
前記画像処理手段は、前記撮像素子で生成された画像データに対して、前記撮像素子が前記画像データを生成する際に前記撮像素子に被写体像を結像するために用いられる撮像光学系（撮影レンズ）の光学特性と、前記接眼光学系（接眼レンズ）の光学特性に基づいて、第１の画像補正を行い、
前記第１のディスプレイは、前記第１の光量落ち補正が行われた画像データを用いて画像を表示することを特徴とする。
【発明の効果】
【００１１】
本発明によれば、撮影の際、接眼光学系を介してディスプレイ表示される電子ビューファインダー（ＥＶＦ）に対して、周辺光量落ち等の光学系による画像の影響を低減することで、良好なライブビュー画像を提供でき、且つ接眼光学系の小型化を可能にした撮像装置を提供することができる。
【図面の簡単な説明】
【００１２】
【図１】本発明の実施の形態に係る撮像装置としてのデジタルカメラのブロック図である。
【図２】図１のデジタルカメラによって実行される実施の形態に係る撮像（撮影）処理の手順を示すフローチャートである。
【図３】図１のデジタルカメラによって実行される実施の形態に係る再生処理の手順を示すフローチャートである。
【発明を実施するための形態】
【００１３】
以下に、本発明の好ましい実施の形態を、添付の図面に基づいて詳細に説明する。
【００１４】
［実施例１］
以下、本発明の実施の形態について、図面を参照しながら詳細に説明する。図１は、本発明の実施の形態に係る撮像装置としてのデジタルカメラのブロック図である。以下、その構成を動作と併せて説明する。
【００１５】
図１に示すように、カメラ本体１００には、撮影レンズユニット２００が不図示のマウント機構を介し着脱可能に取り付けられる。マウント部には、接点群２１０を有している。接点群２１０は、カメラ本体１００と撮影レンズユニット２００との間で制御信号、状態信号、データ信号等を伝え合う。また、それと共に、接点群２１０は、各種電圧の電流を供給する機能と、撮影レンズユニット２００が接続されるとマイクロコンピュータ１２０へ信号を送信する機能も備えている。
【００１６】
これにより、カメラ本体１００と撮影レンズユニット２００の間で通信を行い、装着された撮影レンズユニット２００内の撮影レンズ２０１、絞り２０２の駆動を行うことが可能となる。また、接点群２１０は、電気通信のみならず、光通信、音声通信等を伝達する構成としても良い。
【００１７】
尚、本実施の形態では撮影レンズ２０１は便宜上１枚の撮影レンズを示しているが、実際は、更に多数のレンズから構成されていることは周知の通りである。また、接点群２１０とマイクロコンピュータ１２０とでレンズ検出手段を構成している。
【００１８】
図示されない被写体像からの撮影光束が、撮影レンズ２０１及び絞り２０２、機械シャッタであるフォーカルプレーンシャッタ１０８、光学フィルタ１０９を介して撮像手段である撮像素子としてのＣＭＯＳ等に代表されるイメージセンサ１１２に至る。また、本実施の形態のカメラ本体１００は、デジタルカメラ全体の制御を司るＣＰＵにより構成されるマイクロコンピュータ１２０を備え、後述する各部の動作を適宜制御する。尚、マイクロコンピュータ１２０は画像処理手段に相当する。
【００１９】
マイクロコンピュータ１２０には、撮影レンズ２０１を光軸方向に移動してピント合わせを行うためのレンズ駆動機構２０３を制御するレンズ制御回路２０４と、絞り２０２を駆動するための絞り駆動機構２０５を制御する絞り制御回路２０６とが接続されている。また、マイクロコンピュータ１２０にはフォーカルプレーンシャッタ１０８のシャッタチャージを制御するシャッタチャージ駆動機構１１０が接続されている。また、マイクロコンピュータ１２０には、フォーカルプレーンシャッタ１０８の先幕、後幕の走行を制御するためのシャッタ制御回路１１１が接続されている。
【００２０】
また、マイクロコンピュータ１２０には、記憶手段であるＥＥＰＲＯＭ１２２が接続されている。ＥＥＰＲＯＭ１２２には、カメラ本体１００を制御する上で調整が必要なパラメータやデジタルカメラの個体識別が可能なカメラＩＤ情報や基準レンズで調整されたＡＦ補正データや自動露出補正値、後述する接眼光学系（接眼レンズ）３０３の光学特性データ等が記憶されている。
【００２１】
接眼光学系（接眼レンズ）３０３の光学特性データには接眼レンズ３０３の最終光学面からの距離に応じた周辺光量落ち補正、倍率色収差の補正、歪曲収差の補正のために必要な補正テーブル等が含まれる。尚、本実施の形態では接眼レンズ３０３は便宜上１枚のレンズを示しているが、実際は、更に多数のレンズから構成されていることは周知の通りである。
【００２２】
レンズ制御回路２０４は、レンズ固有の情報、例えば、焦点距離、開放絞り、レンズ個々に割り振られるレンズＩＤという情報とシステムコントローラ１２０から受け取った情報を記憶するレンズ記憶装置も有している。また、マイクロコンピュータ１２０は、レンズ駆動機構２０３を制御することにより、合焦状態を調整した被写体像をイメージセンサ１１２上に結像させる。また、マイクロコンピュータ１２０は、設定されたＡｖ値に基づいて、絞り２０２を駆動する絞り駆動機構２０５を制御し、更に、設定されたＴｖ値に基づいて、シャッタ制御回路１１１へ制御信号を出力する。
【００２３】
また、上記マイクロコンピュータ１２０には、画像データコントローラ１１５が接続されている。この画像データコントローラ１１５は、ＤＳＰ（デジタル信号プロセッサ）により構成され、イメージセンサ１１２の制御、イメージセンサ１１２から入力された画像データの補正や加工等をマイクロコンピュータ１２０の指令に基づいて実行するものである。
【００２４】
更に、マイクロコンピュータ１２０と画像データコントローラ１１５とから、測光手段を構成している。測光手段は、画像データコントローラ１１５によって、画像信号を領域分割し、それぞれの領域でベイヤ画素毎に積分した値をマイクロコンピュータ１２０に供給し、マイクロコンピュータ１２０で積分信号を評価することで測光を行う。
【００２５】
画像データコントローラ１１５には、イメージセンサ１１２を駆動する際に必要なパルス信号を出力するタイミングパルス発生回路１１４が接続されている。また、画像データコントローラ１１５には、タイミングパルス発生回路１１４で発生されたタイミングパルスを受けて、イメージセンサ１１２から出力される被写体像に対応したアナログ信号をデジタル信号に変換するＡ／Ｄコンバータ１１３が接続されている。また、画像データコントローラ１１５には、得られた画像データ（デジタルデータ）を一時的に記憶しておくＤＲＡＭ１２１、Ｄ／Ａコンバータ１１６、画像圧縮回路１１９、及び焦点検出回路１４０が接続されている。
【００２６】
ＤＲＡＭ１２１は、加工や所定のフォーマットへのデータ変換が行われる前の画像データを一時的に記憶するために使用される。更に、画像圧縮回路１１９には、記録手段である記録媒体４０１が接続される。画像圧縮回路１１９は、ＤＲＡＭ１２１に記憶された画像データの圧縮や変換（例えばＪＰＥＧ）を行うための回路である。変換された画像データは、記録媒体４０１へ格納される。この記録媒体としては、ハードディスク、フラッシュメモリ等が使用される。
【００２７】
尚、画像データコントローラ１１５と画像圧縮回路１１９と記録媒体４０１とから記録手段を構成している。また、Ｄ／Ａコンバータ１１６には、エンコーダ回路１１７を介して画像表示回路１１８が接続される。画像表示回路１１８は、イメージセンサ１１２で撮像された画像データを表示するための回路であり、一般にはカラーの表示素子により構成される。
【００２８】
画像データコントローラ１１５は、ＤＲＡＭ１２１上の画像データを、Ｄ／Ａコンバータ１１６によりアナログ信号に変換してエンコーダ回路１１７へ出力する。エンコーダ回路１１７は、このＤ／Ａコンバータ１１６の出力を、画像表示回路１１８を駆動する際に必要な画像信号（例えばＮＴＳＣ信号）に変換する。尚、Ｄ／Ａコンバータ１１６と画像表示回路１１８とエンコーダ回路１１７とから画像表示手段を構成している。
【００２９】
また、焦点検出回路１４０は、マイクロコンピュータ１２０の指令に基づいて動作する。焦点検出回路１４０は、画像データコントローラ１１５によって補正された画像データに対し、所定の周波数特性を持つ光学フィルタを通し、所定のガンマ処理を行って得られる画像信号の所定方向のコントラストの評価を行う。そして、その結果はマイクロコンピュータ１２０に供給される。
【００３０】
マイクロコンピュータ１２０は、レンズ制御回路２０４と通信を行い、焦点位置を調節し、コントラスト評価値が所定レベル以上であって、かつ、最も高くなるように焦点位置を調節する。尚、画像データコントローラ１１５と焦点検出回路１４０とシステムコントローラ１２０とレンズ制御回路２０４とレンズ駆動機構２０３と撮影レンズ２０１から第２の自動焦点検出手段を構成している。 
【００３１】
また、焦点検出回路１４０は撮像素子１１２の撮像面に配置された不図示の位相差検出画素により焦点を検出してもよい。また、マイクロコンピュータ１２０には、測光・測距等の撮影準備動作を開始させるためのレリーズＳＷ１（１３６）が接続されている。また、マイクロコンピュータ１２０には、撮像動作を開始させるためのレリーズＳＷ２（１３７）が接続されている。また、マイクロコンピュータ１２０には、撮影者がアイポイントを短く設定するか長く設定するか選択可能なアイポイント選択ＳＷ３０１が接続されている。
【００３２】
また、マイクロコンピュータ１２０には、撮影者がカメラ内部ディスプレイ１２４を覗きこんでいる際の、カメラから撮影者の瞳の距離を測定可能な瞳位置検出手段３０４が接続されている。なお、撮影者の瞳の位置検出手段３０４による瞳の距離の測定方法については、公知の技術である画像認識機能やカメラのオートフォーカス機能、赤外線の反射を利用した方法を用いている。
【００３３】
尚、カメラ内部ディスプレイ１２４（請求項でいう第１のディスプレイ）とカメラ背面ディスプレイ１２５（請求項でいう第２のディスプレイ）が画像表示回路１１８に接続されており、マイクロコンピュータ１２０に接続された接眼検知ＳＷ３０２により、撮影者がファインダーを覗き込んでいるかどうかをセンサにより検知し、覗き込んでいる場合は接眼レンズ３０３を介してカメラ内部ディスプレイ１２４を観察可能なモード、覗き込んでいない場合はカメラ背面ディスプレイ１２５を直接観察可能なモードに画像表示回路１１８によって切り替えることが可能な構成になっている。 
【００３４】
図２は、図１のデジタルカメラによって実行される実施の形態に係る撮像（撮影）処理の手順を示すフローチャートである。本処理は、図１におけるマイクロコンピュータ１２０の制御の下に実行される。
【００３５】
図２において、 ステップＳ１０１では、マイクロコンピュータ１２０は、接点群２１０を介し、撮影レンズユニット２００と通信を行い、ステップＳ１０２へ移行し、レンズ情報をＥＥＰＲＯＭ１２２へ記憶してステップＳ１０３に移行する。尚、レンズ情報には、レンズの種類を判別することが可能なレンズＩＤ、絞りの開放Ｆ値、最小絞り値、焦点距離、及び、射出瞳位置情報、撮影レンズの光学特性データ等が含まれる。また、撮影レンズユニット２００の光学特性データの中には周辺光量落ち補正、倍率色収差の補正、歪曲収差の補正のために必要な補正テーブルが含まれる。
【００３６】
ステップＳ１０３では、接眼検知ＳＷ３０２により撮影者がカメラ内部ディスプレイ１２４を覗きこんでいるかどうかを判別する。覗いていない場合はステップＳ１１５へ移行し、覗いている場合はステップＳ１０４へ移行する。ステップＳ１０４では、マイクロコンピュータ１２０により、イメージセンサ１１２から画像信号を読み出しステップＳ１０５へ移行する。ステップＳ１０５では、ＥＥＰＲＯＭ１１２に記憶されている接眼レンズ３０３の光学特性データを基に、Ｓ１０４で読みだされた画像信号に対して、画像処理手段によって画像補正を行いステップＳ１０６へ移行する。
【００３７】
ステップＳ１０６では、ステップＳ１０５と同様に、ステップＳ１０２で記憶した撮影レンズユニット２００の光学特性データを基に、画像処理手段によって画像補正を行いステップＳ１０７へ移行する。（上記Ｓ１０５、Ｓ１０６の２つの画像補正を本発明の請求項でいう第１の画像補正とする。）
【００３８】
上記により、接眼レンズ３０３の光学系及び撮影レンズユニット２００の光学系の２つの光学系による周辺光量落ちや倍率色収差や歪曲収差等といった画像への影響を補正する。ステップＳ１０７ではステップＳ１０５、Ｓ１０６で補正された画像データをＤ／Ａコンバータ１１６でＤ／Ａ変換し、エンコーダ回路１１７でエンコードを行って画像表示回路１１８を介してカメラ内部ディスプレイ１２４へ順次表示する。ステップＳ１０９では、レリーズＳＷ１（１３６）の状態を確認し、ＯＦＦ状態であればステップＳ１０３へ戻る。
【００３９】
以上の処理を繰り返し行うことで、連続して読み出した画像信号をカメラ内部ディスプレイ１２４に表示してライブビューを実現している。
【００４０】
ステップＳ１０８でレリーズＳＷ１（１３６）の状態がＯＮ状態であればステップＳ１０９へ移行し、マイクロコンピュータ１２０により、イメージセンサ１１２から画像信号を読み出しステップＳ１１０へ移行する。ステップＳ１１０では、撮影レンズユニット２００の光学特性データを基に、画像補正を行い、この画像信号を用いて、ＡＦ、及び、ＡＥを行い、焦点位置、及び露出制御値を保持する。ステップＳ１１１では、レリーズＳＷ２（１３７）の状態を確認し、ＯＦＦ状態であればステップＳ１０８へ戻る。
【００４１】
また、ＯＮ状態であればステップＳ１１２に移行し、撮影動作に入る。ステップＳ１１２では、ステップＳ１１０で算出した露出制御値及び、撮影モードの状態に応じて、撮影時のＴｖ、Ａｖ、ＩＳＯ値を決定する。そして、シャッタ制御回路１１１を通し、決定したＴｖ値で先幕、後幕を走らせ、イメージセンサ１１２から画像信号を読み出しステップＳ１１４へ移行する。
【００４２】
ステップＳ１１３ではステップＳ１１２で読み出された画像信号を、画像処理手段により撮影レンズユニット２００の光学特性データを基に画像補正処理が行われ、画像圧縮回路１１９によってＪＰＥＧ等への画像変換が行われた後、記録媒体４０１へ画像が記録される。
【００４３】
（上記Ｓ１１３で接眼レンズ３０３の光学特性データに依らず撮影レンズユニット２００の光学特性データのみに基づいて行う画像補正を、本発明の請求項でいう第２の画像補正とする。）
記録媒体４０１へ記録される画像には、接眼レンズ３０３の光学系による画像への影響の補正は過補正になってしまう為、撮影レンズユニット２００の光学特性データのみに基づいて画像補正を行う。
【００４４】
前述のステップＳ１０３で、接眼検知ＳＷ３０２により撮影者がカメラ内部ディスプレイ１２４を覗いていない場合はステップＳ１１５へ移行する。
ステップＳ１１５では、マイクロコンピュータ１２０により、イメージセンサ１１２から画像信号を読み出しステップＳ１１６へ移行する。
【００４５】
ステップＳ１１６では、ＥＥＰＲＯＭ１１２に記憶されている接眼レンズ３０３の光学特性データに依らずに、ステップＳ１０２で記憶した撮影レンズユニット２００の光学特性データを基に、画像処理手段によって画像補正を行いステップＳ１１７へ移行する。
【００４６】
ステップＳ１１７ではステップＳ１１６で補正された画像データをＤ／Ａコンバータ１１６でＤ／Ａ変換し、エンコーダ回路１１７でエンコードを行って画像表示回路１１８を介してカメラ背面ディスプレイ１２５へ順次表示を行いステップＳ１０８へ移行する。カメラ背面ディスプレイ１２５に表示される画像には、接眼レンズ３０３の光学系による画像への影響の補正は過補正になってしまう為、撮影レンズユニット２００の光学特性データのみに基づいて画像補正を行う。ステップＳ１０８からの動作は前述のとおりである。
【００４７】
以上の処理を繰り返し行うことで、連続して読み出した画像信号を接眼検知ＳＷ３０２により撮影者がカメラ内部ディスプレイ１２４を覗いている場合は、接眼レンズ３０３の光学系及び撮影レンズユニット２００の光学系の２つの光学系による周辺光量落ちや倍率色収差や歪曲収差等といった影響を補正した画像を観察することが可能となる。
【００４８】
また、撮影者がカメラ内部ディスプレイ１２４を覗いていない場合は、接眼レンズ３０３の光学系を介さずにカメラ背面ディスプレイ１２５に表示された画像を撮影者は直接見ているので、接眼レンズ３０３の光学系による影響をうけず、撮影レンズユニット２００の光学系のみによる周辺光量落ちや倍率色収差や歪曲収差等といった影響を補正した画像を観察することが可能となる。
【００４９】
図３は、図１のデジタルカメラによって実行される実施の形態に係る再生処理の手順を示すフローチャートである。本処理は、図１におけるマイクロコンピュータ１２０の制御の下に実行される。
【００５０】
図３において、不図示の再生ボタンが押されると画像の再生シーケンスが実行される。ステップＳ２０１では接眼検知ＳＷ３０２により撮影者がカメラ内部ディスプレイ１２４を覗きこんでいるかどうかを判別する。覗いていない場合はステップＳ２０５へ移行し、覗いている場合はステップＳ２０２へ移行する。ステップＳ２０２では、記録媒体４０１から画像を読み出しステップＳ２０２へ移行する。
【００５１】
ステップＳ２０２では接眼レンズの補正データを基に画像処理手段１２０によって画像補正を行いステップＳ２０４へ移行しカメラ内部ディスプレイ１２４に補正された画像を表示する。ステップＳ２０５では、記録媒体４０１から画像を読み出し、ステップＳ２０６へ移行し、カメラ背面ディスプレイ１２５に画像を表示する。
【００５２】
再生時は撮影レンズユニット２００の光学系の影響を受けない為、撮影者がカメラ内部ディスプレイ１２４を覗いている場合は、接眼レンズ３０３の光学系のみによる周辺光量落ちや倍率色収差や歪曲収差等といった影響を補正した画像を観察することが可能となり、撮影者がカメラ内部ディスプレイ１２４を覗いていない場合は接眼レンズ３０３の光学系の影響を受けていない為、画像補正せずに画像を観察することが可能となる。
【００５３】
接眼レンズ３０３の光学系の影響は、撮影者の覗き込む位置により変化する為、たとえば前述したアイポイント選択ＳＷ３０１により、撮影者が短いアイポイントを選択した場合、ＥＥＰＲＯＭ１１２に記憶されている接眼レンズ３０３の光学データから、短いアイポイント位置に対応する補正テーブルを用いて画像補正を行い、撮影者が長いアイポイントを選択した場合、長いアイポイント位置に対応する補正テーブルを用いて画像補正を行う事が可能である。
【００５４】
また、前述した瞳位置検出手段３０４を用いることにより、撮影者がカメラ内部ディスプレイ１２４を覗きこんでいる際の、カメラから撮影者の瞳の距離に対応した補正テーブルを用いて画像補正を行うことが可能である。
【００５５】
以上により、接眼光学系を介してディスプレイ表示される電子ビューファインダー（ＥＶＦ）に対して、接眼光学系による周辺光量落ちや倍率色収差や歪曲収差等といった影響を低減することで、良好なライブビュー画像を提供でき、且つカメラ内部ディスプレイ１２４の表示可能領域に対し、接眼レンズ３０３の小型化を可能にした撮像装置を提供することができる。
【００５６】
以上、本発明の好ましい実施形態について説明したが、本発明はこれらの実施形態に限定されず、その要旨の範囲内で種々の変形及び変更が可能である。たとえば、カメラ内部ディスプレイ１２４を覗いている場合に接眼レンズ３０３の光学系によりうける画像への影響において、周辺光量落ちの補正に関しては、カメラ内部ディスプレイ１２４の発光輝度を接眼レンズ３０３の光学特性データを基に、たとえば周辺部のみ輝度を上げる等の補正をしてもよい。また、カメラ背面ディスプレイ１２５を拡大して観察するような光学系５０１を有した周辺機器５００が取り付く場合も、その周辺機器５００の光学系５０１による周辺光量落ちや倍率色収差や歪曲収差等といった影響を低減するようにカメラ背面ディスプレイ１２５に表示する画像を補正するような構成にすることも可能である。
【符号の説明】
【００５７】
１００  カメラ本体
１０８  フォーカルプレーンシャッタ
１１１  シャッタ制御回路
１１２  イメージセンサ
１１３  Ａ／Ｄコンバータ
１１４  タイミングパルス発生回路
１１５  画像データコントローラ
１１６  Ｄ／Ａコンバータ
１１７  エンコーダ回路
１１８  画像表示回路
１１９  画像圧縮回路
１２０  マイクロコンピュータ
１２１  ＤＲＡＭ
１２２  ＥＥＰＲＯＭ
１２３  動作表示回路
１２４  カメラ内部ディスプレイ
１２５  カメラ背面ディスプレイ
１３６  レリーズＳＷ１
１３７  レリーズＳＷ２
１４０  焦点検出回路
２００  レンズユニット
２０１  撮影レンズ
２０２  絞り
２０３  レンズ駆動機構
２０４  レンズ制御回路
２０５  絞り駆動機構
２０６  絞り制御回路
２１０  接点群
３０３  アイポイント選択ＳＷ
３０３  接眼光学系（接眼レンズ）
３０２  接眼検知ＳＷ
３０３  接眼レンズ
３０４  瞳位置検出手段
４０１  記録媒体
５００  周辺機器
【図１】
2018129648.tif 000003
【図２】
2018129648.tif 000004
【図３】
2018129648.tif 000005